(57)【要約】【課題】充電器の使用範囲を拡大するために、充電器を利用した照明器具を提供する。【解決手段】充電器として、車両のシガーライターソケットに挿入可能なプラグ部２４が設けられ充電回路２５を内蔵する充電器本体２１と、充電器本体２１にコード２２を介して接続され携帯電話機の充電用端子部に接続可能な接続プラグ２３とから成る車載充電器２を利用した照明器具１であって、透明なケース１２の基端部に、接続プラグ２３を接続可能な電源端子部１１が設けられ、ケース１２の先端部の中央に形成された突起部に発光器１３が収納されており、電源端子部１１に接続プラグ２３が接続されたときに、充電回路２５から供給される電力により発光器１３が点灯する。【選択図】図１
2005085502.tif 000002
【特許請求の範囲】
【請求項１】
充電回路を内蔵する充電器本体と、該充電器本体に接続され被充電機器の充電用端子部に接続可能な接続プラグとを備える充電器を利用した照明器具であって、
前記接続プラグを接続可能な電源端子部と、
前記電源端子部に前記接続プラグが接続されたときに、前記充電回路から供給される電力により点灯する発光器とを備えることを特徴とする照明器具。
【請求項２】
前記充電器として、車両のシガーライターソケットに挿入可能なプラグ部を設けた前記充電器本体にコードを介して前記接続プラグを接続して成る車載充電器を用いる請求項１に記載の照明器具であって、
前記発光器を収納したケースの基端に前記電源端子部を設けたランプで構成されることを特徴とする請求項１記載の照明器具。
【請求項３】
前記ケースの先端部に先方に突出する突起部を形成し、該突起部に前記発光器を収納することを特徴とする請求項２記載の照明器具。
【発明の詳細な説明】
【技術分野】
【０００１】
本発明は、携帯電話機等の被充電機器に充電するために使用する充電器を利用した照明器具に関する。
【背景技術】
【０００２】
従来、充電器は、充電回路を内蔵する充電器本体と、充電器本体に接続され携帯電話機等の被充電機器の充電用端子部に接続可能な接続プラグとを備えている。そして、充電器本体に、車両のシガーライターソケットに挿入されるプラグ部が設けられた車載充電器も知られている（例えば特許文献１参照）。この種の車載充電器では、一般的に、充電器本体にコードを介して接続プラグが接続されている。そして、使用者は、予め充電器本体のプラグ部をシガーライターソケットに挿入しておき、車両内で被充電機器の充電が必要なときに、被充電機器の充電用端子部に接続プラグを接続して充電を行っている。しかしながら、上記充電器は被充電機器を充電するとき以外には何ら役に立っていない。
【特許文献１】実用新案登録第３０８２６９５号公報
【発明の開示】
【発明が解決しようとする課題】
【０００３】
本発明は上記実情に鑑みて成されたものであり、充電器の使用範囲を拡大するために、充電器を利用した照明器具を提供することを課題とする。
【課題を解決するための手段】
【０００４】
前記の課題を解決するために、本発明の照明器具は、充電回路を内蔵する充電器本体と、該充電器本体に接続され被充電機器の充電用端子部に接続可能な接続プラグとを備える充電器を利用した照明器具であって、前記接続プラグを接続可能な電源端子部と、前記電源端子部に前記接続プラグが接続されたときに、前記充電回路から供給される電力により点灯する発光器とを備えることを特徴とする。
【０００５】
かかる本発明によれば、充電器が被充電機器の充電に使用されていないときに、充電器を電源コード代わりに利用して照明器具を使用することができ、充電器の使用範囲を拡大できる。また、照明器具には電源コードを付設する必要がなく、照明器具を簡易な構成として、そのコストダウンを図ることができる。
【０００６】
ここで、充電器として、車両のシガーライターソケットに挿入可能なプラグ部を設けた前記充電器本体にコードを介して前記接続プラグを接続して成る車載充電器を用いる場合、発光器を収納したケースの基端に前記電源端子部を設けたランプで照明器具を構成すれば、照明器具を車両内の各所に持ち運び可能なマップランプとして使用することができる。
【０００７】
尚、充電器の接続プラグに発光器を組み込んで、接続プラグ自体をマップランプとして使用することも可能である。然し、これでは充電器のコストが高くなり、マップランプが不要なユーザにとっては不合理な費用負担を強いられることになる。これに対し、本発明の上記ランプは、既存の充電器をそのまま利用して使用することができ、ユーザは必要に応じて該ランプを購入するだけで済む。特に、このランプは、電源コード付きのマップランプに比し低コストであるため、費用面で非常に合理的である。
【０００８】
また、接続プラグに発光器を組み込む場合、接続プラグとしての機能を確保する上で形状が制約される。これに対し、本発明の照明器具は接続プラグとは別体であるため、形状に関する設計の自由度が増す。例えば、上記ランプにおいて、前記ケースの先端部に先方に突出する突起部を形成し、該突起部に前記発光器を収納することができる。これによれば、突起部近傍での照度を高めて、スポットライト的な照明を得られ、マップランプとして使い易くなる。
【発明を実施するための最良の形態】
【０００９】
図１を参照して、１は、充電器２を利用する第１の実施形態の照明器具としてのランプを示している。充電器２は、被充電機器としての携帯電話機（図示しない）を充電する車載充電器である。充電器２は、充電器本体２１と、充電器本体２１にコード２２を介して接続され携帯電話機の充電用端子部に接続可能な接続プラグ２３とを備えている。
【００１０】
充電器２は公知のものなので、以下にその概略のみを説明する。充電器本体２１は円筒状であり、その先端に、シガーライターソケット（図示しない）に挿入されるプラグ部２４が設けられている。充電器本体２１の基端部には、不図示の車載バッテリにプラグ部２４を介して接続され、バッテリ電圧（１２Ｖ／２４Ｖ）を携帯電話機の充電用電圧（約４Ｖ）にＤＣ−ＤＣ変換する充電回路２５が内蔵されている。また、接続プラグ２３は、プラグケース２６から一部が露出した状態で収納されたコネクタ２７と、コネクタ２７の露出部両脇に設けられた、携帯電話機に係合可能な係止爪２８と、携帯電話機に対する係止爪２８の係合を解除する操作ボタン２９とを備えている。
【００１１】
ランプ１は、上記接続プラグ２３を接続可能な電源端子部１１と、電源端子部１１が基端部に嵌着された透明なケース１２と、ケース１２の先端部の中央に形成した、先方に突出する突起部１２ａに収納した発光器１３とを備える。なお、ケース１２は突起部１２ａのみが透明なものであってもよい。
【００１２】
発光器１３は、例えばＬＥＤ（Light Emitting Diode）から成り、電源端子部１１に接続プラグ２３が接続されたときに、充電器２の充電回路２５から供給される電力により点灯する。図１は、電源端子部１１を構成するソケットに、接続プラグ２３のコネクタ２７が嵌合された状態を示しており、コネクタ２７に設けられた係止爪２８がソケットに内方から係止されている。この状態で電源端子部１１とコネクタ２７とが電気的に接続され、接続プラグ２３がランプ１から不用意に離脱することを防止している。また、接続プラグ２３の操作ボタン２９を押下すると、操作ボタン２９に連設された係止爪２８がコネクタ２７の内側に移動するので、ソケットとの係止が解除され、ランプ１から接続プラグ２３を取り外すことができる。
【００１３】
以上の構成からなるランプ１を使用するには、使用者は、予め車両のシガーライターソケットに充電器２のプラグ部２４を差し込んでおく。このときプラグ部２４は車載バッテリに電気的に接続されバッテリ電圧が供給される。そして、車両内で照明が必要なときに、使用者が充電器２の接続プラグ２３をランプ１の電源端子部１１に接続すれば、ランプ１の発光器１３が点灯する。なお、電源端子部１１から接続プラグ２３を取り外すと発光器１３は消灯する。
【００１４】
また、上記構成に加えて、ランプ１と、接続プラグ２３やコード２２とを接続するストラップやゴム紐等を設けてもよい。この場合には、ランプ１から接続プラグ２３を取り外したときにランプ１が紛失することを防止できる。
【００１５】
上記第１の実施形態によれば、ランプ１の電源コードとして充電器２を活用することができ、充電器２の使用範囲を拡大できる。また、ランプ１のケース１２の先端部に形成した突起部１２ａに発光器１３が収納されているので、発光器１３が発光したときに、突起部１２ａ近傍での照度が高くなる。従って、スポットライト的な照明を得られ、車両内でマップランプとして使用し易くなる。
【００１６】
また、上記実施形態のランプ１に利用した携帯電話機用の充電器では、接続プラグ２３と充電器本体２１とを接続するコード２２を通常１ｍ以上の長さに伸ばすことができる。そのため、車載バッテリに接続された充電器２の接続プラグ２３にランプ１を接続した状態で、ランプ1を車両の後部座席に移動させることが可能である。従って、本実施形態のランプ１は、後部座席の乗員にとってもマップランプとして使用可能であり、使い勝手が良い。
【００１７】
次に、第２の実施形態の照明器具を説明する。この照明器具は、図３に示すように、ライト付き灰皿３であり、車両内の適宜の場所に配設される。ライト付き灰皿３は、灰皿本体３１とキャップ部３２とを備えている。キャップ部３２はヒンジ部３３によって灰皿本体３１の一部に開閉自在に連結されている。そして、キャップ部３２を開いて灰皿３を使用する際に、煙草の灰の落とし場所を明瞭に視認できるように、灰皿本体３１の上端部を照明可能な箇所、例えばヒンジ部３３に、ＬＥＤ等から成る発光器１３が設けられている。また、灰皿３の適所、例えば、灰皿本体３１の側面下部に電源端子部１１を設け、この電源端子部１１に、図１示の充電器２の接続プラグ２３を接続することにより、発光器１３が点灯されるようにしている。
【００１８】
上記第１および第２の実施形態では、照明器具の電源端子部１１を接続プラグ２３に接続したときに発光器１３が点灯するが、発光器１３を点灯させるスイッチを別に設けてもよい。例えば、第２の実施形態のライト付き灰皿３のヒンジ部３３近傍に、ヒンジ部３３の回動に連動したスイッチを設け、キャップ部３２の開蓋時に発光器１３が点灯するようにしてもよい。
【００１９】
また、上記の実施形態の照明器具１，３に利用する充電器２は、車載充電器であり、シガーライターソケットに対応して形成されたプラグ部２４を有するものであるが、家庭やオフィスなどにおいて商用電源に接続可能に構成された充電器を利用してもよい。また、上記充電器は、パーソナルコンピュータやモニタ等の電子機器に設けられたＵＳＢ端子に接続可能に構成され、該電子機器から電力が供給されるタイプのものでも構わない。さらに、乾電池等の内部電源から供給される電力により携帯電話機を充電できる充電器でもよい。
【００２０】
また、上記実施形態の充電器２で充電する被充電機器は携帯電話機であるが、被充電機器は、これ以外に、無線機、トランシーバ、携帯情報端末（ＰＤＡ；Personal Digital Assistance）などの通信機器、さらに、コードレス電話機、コードレスアイロン、コードレス掃除機などの充電タイプの家庭用電化製品であってもよい。この場合、利用しようとする充電器の接続プラグが接続できるように、本発明の照明器具の電源端子部を構成する。
【００２１】
また、上記実施形態では、照明器具の一例として、ランプとライト付き灰皿とを挙げたが、この発明は上記実施形態に限定されるものではなく、この発明の範囲内で種々変更して実施できる。例えば車両内で使用するタイプの照明器具として、ライト付きドリンクホルダ、ライト付きトレイ、ライト付き電話機ホルダ、ライト付き小物入れ等であってもよい。また、例えば家庭やオフィスで使用するタイプの照明器具として、フットライト、卓上ライト、ライト付き家具、ライト付き文房具等であってもよい。
【図面の簡単な説明】
【００２２】
【図１】第１の実施形態の照明器具を充電器に装着した状態を示す説明図。
【図２】第２の実施形態の照明器具の外観図。
【符号の説明】
【００２３】
１・・・ランプ（照明器具）、１１・・・電源端子部、１２・・・ケース、１２ａ・・・突起部、１３・・・発光器、２・・・充電器、２１・・・充電器本体、２２・・・コード、２３・・・接続プラグ、２４・・・プラグ部、２５・・・充電回路、３・・・ライト付き灰皿（照明器具）。
【図１】
2005085502.tif 000003
【図２】
2005085502.tif 000004